(57)【要約】【課題】ユーザーによる読取後原稿の取り忘れを抑制可能な画像読取装置、画像形成装置、及び報知方法を提供すること。【解決手段】画像読取装置は、原稿の画像データを読み取る読取処理を実行し（ステップＳ１１）、前記読取処理の終了後に前記読取後原稿の未回収を報知し（ステップＳ１２のＹｅｓ、ステップＳ１６）、自装置からの前記読取後原稿の回収が検出されるまでの間（ステップＳ２４のＮｏ）、予め定められた基準時間が経過するごとに前記読取後原稿の未回収の報知方法を切り替える（ステップＳ１７のＹｅｓ、ステップＳ１８）【選択図】図４
2019102875.tif 000002
【特許請求の範囲】
【請求項１】
原稿の画像データを読み取る読取処理を実行する読取処理部と、
前記読取処理の終了後に自装置からの読取後原稿の回収を検出する検出処理部と、
前記読取処理の終了時から前記検出処理部によって前記読取後原稿の回収が検出されるまでの間、予め定められた条件に従って複数の報知方法で順に前記読取後原稿の未回収を報知する報知処理部と、
を備える画像読取装置。
【請求項２】
前記報知処理部は、予め定められた基準時間が経過するごとに前記報知方法を切り替える、
請求項１に記載の画像読取装置。
【請求項３】
自装置の前に存在する人を検出する人検出部を備え、
前記報知処理部は、前記人検出部によって前記人が検出されていない間、前記基準時間の経過の計時を中断する、
請求項２に記載の画像読取装置。
【請求項４】
予め定められた認証操作に応じてユーザーを認証する認証処理部と、
前記報知処理部によって前記基準時間の経過の計時が中断された後に前記人検出部によって前記人が検出された場合に、検出された前記人が認証中のユーザーであるか否かを判定する判定処理部と、を備え、
前記報知処理部は、前記判定処理部によって前記人が認証中のユーザーであると判定された場合に、前記基準時間の経過の計時を再開する、
請求項３に記載の画像読取装置。
【請求項５】
前記報知処理部は、前記判定処理部によって前記人が認証中のユーザーではないと判定された場合に、前記読取後原稿が未回収である旨のメッセージを含む電子メールを認証中のユーザーに対応付けられた送信先に送信する、
請求項４に記載の画像読取装置。
【請求項６】
前記報知処理部は、メッセージの表示、警告ランプの点灯、音声データの出力、警告音の鳴動、及び予め設定された送信先への電子メールの送信のいずれか一つ又は複数の組み合わせによって、前記読取後原稿の未回収を報知可能である、
請求項１〜５のいずれかに記載の画像読取装置。
【請求項７】
請求項１〜６のいずれかに記載の画像読取装置を備える画像形成装置。
【請求項８】
請求項２〜５のいずれかに記載の画像読取装置と、
前記読取処理によって読み取られた画像データに基づく印刷処理を実行する印刷処理部と、
前記読取処理の終了時から前記印刷処理の終了時までの待ち時間を取得する取得処理部と、
前記取得処理部によって取得される前記待ち時間に応じて前記基準時間を設定する設定処理部と、
を備える画像形成装置。
【請求項９】
原稿の画像データを読み取る読取処理を実行することと、
前記読取処理の終了後に画像読取装置からの読取後原稿の回収を検出することと、
前記読取処理の終了時から前記読取後原稿の回収が検出されるまでの間、予め定められた条件に従って複数の報知方法で順に前記読取後原稿の未回収を報知することと、
を含む報知方法。
【発明の詳細な説明】
【技術分野】
【０００１】
本発明は、原稿の画像データを読み取る画像読取装置、画像形成装置、及び画像読取装置で実行される報知方法に関する。
【背景技術】
【０００２】
原稿の画像データを読取可能なコピー機のような画像形成装置が知られている。この種の画像形成装置では、ユーザーが読取後原稿の存在を失念して、読取後原稿を画像形成装置に残したままその場から立ち去ってしまうことがある。これに対し、読取後原稿が未回収である旨のメッセージを表示する構成が知られている（例えば、特許文献１参照）。
【先行技術文献】
【特許文献】
【０００３】
【特許文献１】特開２０１６−４８８６８号公報
【発明の概要】
【発明が解決しようとする課題】
【０００４】
ところで、画像形成装置による読取後原稿の未回収の報知方法が一つの場合には、ユーザーが報知に気付かず、読取後原稿を取り忘れてしまうことがある。
【０００５】
本発明の目的は、ユーザーによる読取後原稿の取り忘れを抑制可能な画像読取装置、画像形成装置、及び報知方法を提供することにある。
【課題を解決するための手段】
【０００６】
本発明の一の局面に係る画像読取装置は、読取処理部と、検出処理部と、報知処理部とを備える。前記読取処理部は、原稿の画像データを読み取る読取処理を実行する。前記検出処理部は、前記読取処理の終了後に自装置からの読取後原稿の回収を検出する。前記報知処理部は、前記読取処理の終了時から前記検出処理部によって前記読取後原稿の回収が検出されるまでの間、予め定められた条件に従って複数の報知方法で順に前記読取後原稿の未回収を報知する。
【０００７】
本発明の他の局面に係る画像形成装置は、前記画像読取装置を備える。
【０００８】
本発明の他の局面に係る報知方法は、原稿の画像データを読み取る読取処理を実行することと、前記読取処理の終了後に画像読取装置からの読取後原稿の回収を検出することと、前記読取処理の終了時から前記読取後原稿の回収が検出されるまでの間、予め定められた条件に従って複数の報知方法で順に前記読取後原稿の未回収を報知することと、を含む。
【発明の効果】
【０００９】
本発明によれば、ユーザーによる読取後原稿の取り忘れを抑制可能な画像読取装置、画像形成装置、及び報知方法が実現される。
【図面の簡単な説明】
【００１０】
【図１】図１は、本発明の実施形態に係る画像形成装置の構成を示す図である。
【図２】図２は、本発明の実施形態に係る画像形成装置のシステム構成を示すブロック図である。
【図３】図３は、本発明の実施形態に係る画像形成装置の操作表示部の構成を示す図である。
【図４】図４は、本発明の実施形態に係る画像形成装置で実行される報知制御処理の一例を示すフローチャートである。
【発明を実施するための形態】
【００１１】
以下、添付図面を参照しながら、本発明の実施形態について説明し、本発明の理解に供する。なお、以下の実施形態は、本発明を具体化した一例であって、本発明の技術的範囲を限定するものではない。
【００１２】
［画像形成装置１０の構成］
まず、図１〜図３を参照しつつ、本発明の実施形態に係る画像形成装置１０の構成について説明する。ここで、図１は画像形成装置１０の構成を示す断面模式図である。また、図３は操作表示部６の構成を示す平面図である。
【００１３】
画像形成装置１０は、原稿から画像データを読み取るスキャン機能、及び画像データに基づいて画像を形成するプリント機能と共に、ファクシミリ機能、及びコピー機能などの複数の機能を有する複合機である。
【００１４】
図１及び図２に示されるように、画像形成装置１０は、ＡＤＦ（自動原稿搬送装置）１、画像読取部２、画像形成部３、給紙部４、制御部５、操作表示部６、通信部７、記憶部８、及び人感センサー９を備える。
【００１５】
画像形成部３は、画像データに基づいて電子写真方式で画像を形成する。具体的に、画像形成部３は、感光体ドラム、帯電装置、光走査装置、現像装置、転写装置、クリーニング装置、定着装置、及び排紙トレイを備える。給紙部４は、給紙カセット、シート搬送路、及び複数の搬送ローラーを備え、画像形成部３にシートを供給する。画像形成部３は、給紙部４から供給されるシートに、画像データに基づく画像を形成する。画像形成部３による画像形成後のシートは、前記排紙トレイに排出される。なお、画像形成部３は、インクジェット方式などの他の画像形成方式により画像を形成するものであってもよい。
【００１６】
制御部５は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶装置である。前記ＲＡＭは揮発性の記憶装置であり、前記ＥＥＰＲＯＭは不揮発性の記憶装置である。前記ＲＡＭ及び前記ＥＥＰＲＯＭは、前記ＣＰＵが実行する各種の処理の一時記憶メモリー（作業領域）として使用される。制御部５では、前記ＣＰＵにより前記ＲＯＭに予め記憶された各種の制御プログラムが実行される。これにより、画像形成装置１０が制御部５により統括的に制御される。なお、制御部５は、集積回路（ＡＳＩＣ）などの電子回路で構成されたものであってもよく、画像形成装置１０を統括的に制御するメイン制御部とは別に設けられた制御部であってもよい。
【００１７】
操作表示部６は、画像形成装置１０の操作に用いられるユーザーインターフェイスである。図２及び図３に示されるように、操作表示部６は、ハードキー６１、表示部６２、警告ランプ６３、及びスピーカー６４を備える。
【００１８】
ハードキー６１は、ユーザーの操作に応じて制御部５に各種の情報を入力する。表示部６２は、画像形成装置１０の操作に用いられる操作画面などの画面を表示する。例えば、表示部６２は液晶ディスプレーである。警告ランプ６３は、画像形成装置１０で発生した異常の報知などに用いられる。例えば、警告ランプ６３は赤色のＬＥＤ光源である。スピーカー６４は、警告音の鳴動、及び音声データの出力などに用いられる。
【００１９】
通信部７は、ユーザーの所持する携帯端末２０（図２参照）などの外部の通信機器との間で、有線又は無線によるデータ通信を実行可能な通信インターフェイスである。例えば、通信部７は、携帯端末２０との間でＢｌｕｅｔｏｏｔｈ（登録商標）によって規定された所定の通信プロトコルに従って無線によるデータ通信を実行する。例えば、通信部７は、クラス２と称される電波強度（２．５ｍＷ）で、画像形成装置１０から約１０ｍの範囲に存在する携帯端末２０との間でＢｌｕｅｔｏｏｔｈによる無線通信を実行可能である。また、通信部７は、外部の通信機器との間でインターネット又はＬＡＮ等の通信ネットワークを介して有線又は無線によるデータ通信を実行する。
【００２０】
ここで、画像形成装置１０では、予め携帯端末２０との間で、Ｂｌｕｅｔｏｏｔｈ通信における通信相手の認証手続であるペアリングが実行されている。前記ペアリングでは、Ｂｌｕｅｔｏｏｔｈ通信を行う機器相互間で、通信相手の認証のために必要となるペアリングＩＤが交換される。そして、前記ペアリングにより画像形成装置１０が取得した携帯端末２０の前記ペアリングＩＤが、記憶部８に記憶されている。これにより、その後、画像形成装置１０と携帯端末２０との間でＢｌｕｅｔｏｏｔｈによる無線通信が可能である。
【００２１】
記憶部８は、ＳＳＤ（ソリッドステートドライブ）又はＨＤＤ（ハードディスクドライブ）などの記憶装置である。記憶部８には、携帯端末２０の前記ペアリングＩＤが記憶されている。また、記憶部８には、ユーザーの認証情報が記憶されている。例えば、前記認証情報は、ユーザー名及びパスワードである。なお、記憶部８は、制御部５の前記ＥＥＰＲＯＭ等であってもよい。
【００２２】
ここで、画像形成装置１０では、ユーザーの前記認証情報が、そのユーザーの所持する携帯端末２０の前記ペアリングＩＤと対応付けられている。具体的に、記憶部８では、前記認証情報と前記ペアリングＩＤとが対応付けられて記憶されている。なお、前記ペアリングＩＤに替えて、携帯端末２０のＩＰアドレス又はＭＡＣアドレスが、前記認証情報と対応付けられて記憶部８に記憶されていてもよい。
【００２３】
また、画像形成装置１０では、ユーザーの前記認証情報が、そのユーザーの電子メールアドレスと対応付けられている。具体的に、記憶部８では、前記認証情報と電子メールアドレスとが対応付けられて記憶されている。
【００２４】
人感センサー９は、画像形成装置１０の筐体の前側における人の存否を検知可能である。例えば、人感センサー９は、人体から発せられる赤外線の検知の有無に基づいて、予め定められた範囲における人の存否を検知する焦電型の赤外線センサーである。
【００２５】
ＡＤＦ１は、図１に示される原稿載置部１１に載置される原稿を搬送する。具体的に、ＡＤＦ１は、図１に示されるように、原稿載置部１１、複数の搬送ローラー１２、原稿ガイド１３、排紙部１４、原稿センサー１５、及び原稿センサー１６を備える。また、ＡＤＦ１は、後述する原稿台２１に対して開閉可能に支持されており、原稿台２１のコンタクトガラス２１１に載置される原稿に対する原稿カバーを兼ねている。
【００２６】
原稿載置部１１には、原稿が載置される。搬送ローラー１２各々は、不図示のモーターで駆動されることで、原稿載置部１１に載置される原稿をＡＤＦ１の内部を経由して排紙部１４に搬送する。原稿ガイド１３は、搬送ローラー１２各々によって搬送される原稿を原稿台２１のコンタクトガラス２１１上に案内する。排紙部１４には、画像読取部２によって画像データが読み取られた原稿が排出される。原稿センサー１５は、原稿載置部１１に載置された原稿を検出可能である。原稿センサー１６は、排紙部１４に排出された原稿を検出可能である。例えば、原稿センサー１５、及び原稿センサー１６は、反射型の光センサーである。
【００２７】
画像読取部２は、ＡＤＦ１によって搬送される原稿、及びコンタクトガラス２１１に載置される原稿から画像を読み取る。具体的に、画像読取部２は、図１に示されるように、原稿台２１、読取ユニット２２、ミラー２３、ミラー２４、光学レンズ２５、ＣＣＤ２６、及び原稿センサー２７を備える。
【００２８】
原稿台２１は、画像形成装置１０の筐体の上面に設けられる。原稿台２１は、図１に示されるように、コンタクトガラス２１１を備える。コンタクトガラス２１１には、原稿が載置される。
【００２９】
読取ユニット２２は、図１に示されるように、コンタクトガラス２１１の下側に設けられる。読取ユニット２２は、ステッピングモーター等の駆動部を有する不図示の移動機構によって、副走査方向（図１における紙面左右方向）へ移動可能に構成されている。読取ユニット２２は、図１に示されるように、光源２２１及びミラー２２２を備える。
【００３０】
光源２２１は、主走査方向（図１における紙面奥行方向）に沿って配列された複数の白色ＬＥＤである。光源２２１は、コンタクトガラス２１１へ向けて前記主走査方向の１ライン分の白色光を射出する。光源２２１から射出された光は、コンタクトガラス２１１を透過して、コンタクトガラス２１１に載置された原稿又はＡＤＦ１によって搬送される原稿に照射される。ミラー２２２は、光源２２１から射出されて原稿で反射された光をミラー２３へ反射させる。
【００３１】
画像読取部２では、コンタクトガラス２１１に載置された原稿から画像データが読み取られる場合、読取ユニット２２が前記移動機構によって前記副走査方向へ移動される。これにより、光源２２１から射出されて原稿に照射される光が前記副走査方向へ走査される。また、画像読取部２では、ＡＤＦ１によって搬送される原稿から画像データが読み取られる場合、読取ユニット２２が前記移動機構によってＡＤＦ１の原稿ガイド１３との対向位置へ移動される。これにより、光源２２１から射出されてコンタクトガラス２１１を透過する光が、ＡＤＦ１によって搬送される原稿に照射される。
【００３２】
ミラー２３は、読取ユニット２２のミラー２２２で反射された光をミラー２４へ反射させる。ミラー２４は、ミラー２３で反射された光を光学レンズ２５へ反射させる。光学レンズ２５は、ミラー２４で反射された光を集光してＣＣＤ２６へ入射させる。
【００３３】
ＣＣＤ２６は、前記主走査方向に沿って配列された複数の光電変換素子を有するイメージセンサーである。ＣＣＤ２６は、受光した光の光量に応じた電気信号を出力する。画像読取部２では、光源２２１から射出されて原稿で反射された光がミラー２２２、ミラー２３、ミラー２４、及び光学レンズ２５を経由してＣＣＤ２６に入射される。これにより、ＣＣＤ２６から原稿の画像に対応するアナログの電気信号が出力される。ＣＣＤ２６から出力されるアナログの電気信号は、不図示のアナログフロントエンド回路によりデジタルの電気信号（画像データ）に変換されて、制御部５に入力される。
【００３４】
原稿センサー２７は、コンタクトガラス２１１に載置された原稿を検出可能である。例えば、原稿センサー２７は、コンタクトガラス２１１の下側に設けられた反射型の光センサーである。
【００３５】
ところで、画像形成装置１０では、ユーザーが画像読取部２によって画像データが読み取られた後の読取後原稿の存在を失念して、前記読取後原稿をＡＤＦ１の排紙部１４又は画像読取部２のコンタクトガラス２１１上に残したままその場から立ち去ってしまうことがある。これに対し、前記読取後原稿が未回収である旨のメッセージを表示する構成が知られている。
【００３６】
しかしながら、画像形成装置１０による前記読取後原稿の未回収の報知方法が一つの場合には、ユーザーが報知に気付かず、前記読取後原稿を取り忘れてしまうことがある。これに対し、本発明の実施形態に係る画像形成装置１０では、以下に説明するように、ユーザーによる前記読取後原稿の取り忘れを抑制することが可能である。
【００３７】
具体的に、制御部５の前記ＲＯＭには、前記ＣＰＵに後述の報知制御処理（図４のフローチャート参照）を実行させるための報知制御プログラムが予め記憶されている。なお、前記報知制御プログラムは、ＣＤ、ＤＶＤ、フラッシュメモリーなどのコンピューター読み取り可能な記録媒体に記録されており、前記記録媒体から読み取られて記憶部８にインストールされてもよい。
【００３８】
そして、制御部５は、図２に示されるように、認証処理部５１、読取処理部５２、印刷処理部５３、取得処理部５４、検出処理部５５、報知処理部５６、設定処理部５７、人検出部５８、及び判定処理部５９を含む。具体的に、制御部５は、前記ＣＰＵを用いて前記ＲＯＭに記憶されている前記報知制御プログラムを実行する。これにより、制御部５は、認証処理部５１、読取処理部５２、印刷処理部５３、取得処理部５４、検出処理部５５、報知処理部５６、設定処理部５７、人検出部５８、及び判定処理部５９として機能する。ここに、画像読取部２、制御部５、及び操作表示部６を備える装置が、本発明における画像読取装置の一例である。なお、本発明は、スキャナー装置、ファクシミリ装置、及びコピー機などの画像読取装置又は画像形成装置に適用可能である。
【００３９】
認証処理部５１は、予め定められた認証操作に応じてユーザーを認証するログイン処理を実行する。
【００４０】
例えば、認証処理部５１は、操作表示部６に前記認証操作を行うことが可能な認証画面を必要に応じて表示させる。そして、認証処理部５１は、前記認証画面においてユーザーによる前記認証操作を受け付ける。例えば、前記認証操作は、ユーザー名及びパスワードなどのログイン情報の入力操作である。
【００４１】
その後、認証処理部５１は、操作表示部６から入力された前記ログイン情報が記憶部８に記憶されている前記認証情報に含まれている場合に認証完了と判断し、ユーザーを画像形成装置１０にログインさせる。なお、認証処理部５１は、操作表示部６に対するログアウト操作が行われた場合、予め設定された時間が経過した場合、又は他のユーザーをログインさせる場合に、現在ログイン中のユーザーをログアウトさせるログアウト処理を実行する。
【００４２】
読取処理部５２は、原稿の画像データを読み取る読取処理を実行する。
【００４３】
具体的に、読取処理部５２は、ＡＤＦ１の原稿センサー１５によって原稿が検出された場合には、ＡＤＦ１及び画像読取部２を用いて、原稿載置部１１に載置された原稿から画像データを読み取る。また、読取処理部５２は、ＡＤＦ１の原稿センサー１５によって原稿が検出されない場合には、画像読取部２を用いて、コンタクトガラス２１１に載置された原稿から画像データを読み取る。
【００４４】
印刷処理部５３は、前記読取処理によって読み取られた画像データに基づく印刷処理を実行する。
【００４５】
具体的に、印刷処理部５３は、画像形成部３及び給紙部４を用いて、前記読取処理によって読み取られた画像データに基づく画像を給紙部４から供給されるシートに形成する。
【００４６】
取得処理部５４は、前記読取処理の終了時から前記印刷処理の終了時までの待ち時間を取得する。
【００４７】
例えば、画像形成装置１０では、ＡＤＦ１の原稿載置部１１に載置された複数枚の原稿が複写される場合に、まず前記読取処理が実行される。そして、前記読取処理が終了した後に、前記印刷処理の実行が開始される。この場合、取得処理部５４は、前記読取処理が終了したタイミングで、前記読取処理で読み取られた原稿の枚数、前記印刷処理で印刷される印刷物の部数、及び画像形成装置１０における印刷速度などに基づいて、前記印刷処理の開始時から終了時までの処理時間（前記待ち時間）を算出する。
【００４８】
なお、画像形成装置１０において、ＡＤＦ１の原稿載置部１１に載置された複数枚の原稿が複写される場合に、前記読取処理と並行して前記印刷処理が実行されてもよい。この場合、取得処理部５４は、前記読取処理が終了したタイミングで、前記読取処理で読み取られた原稿の枚数、前記印刷処理で印刷される印刷物の部数、及び画像形成装置１０における印刷速度などに基づいて、前記印刷処理の開始時から終了時までの処理時間を算出する。そして、取得処理部５４は、算出された処理時間から前記印刷処理の開始時から前記読取処理の終了時までの経過時間を減算することで、前記待ち時間を算出する。
【００４９】
検出処理部５５は、前記読取処理の終了後に自装置からの前記読取後原稿の回収を検出する。
【００５０】
例えば、検出処理部５５は、前記読取処理において原稿載置部１１に載置された原稿から画像データが読み取られた場合は、原稿センサー１６を用いて前記読取後原稿の回収を検出する。具体的に、検出処理部５５は、原稿センサー１６によって検出されていた排紙部１４上の原稿が検出されなくなった場合に、前記読取後原稿が回収されたと判断する。
【００５１】
また、検出処理部５５は、前記読取処理においてコンタクトガラス２１１に載置された原稿から画像データが読み取られた場合は、原稿センサー２７を用いて前記読取後原稿の回収を検出する。具体的に、画像形成装置１０は、原稿台２１に対するＡＤＦ１の開閉状態を検出可能な不図示のセンサーを備える。そして、検出処理部５５は、前記センサーによってＡＤＦ１が原稿台２１に対して開かれたことが検出された後において、原稿センサー２７によって検出されていたコンタクトガラス２１１上の原稿が検出されなくなった場合に、前記読取後原稿が回収されたと判断する。
【００５２】
報知処理部５６は、前記読取処理の終了時から検出処理部５５によって前記読取後原稿の回収が検出されるまでの間、予め定められた条件に従って複数の報知方法で順に前記読取後原稿の未回収を報知する。
【００５３】
例えば、報知処理部５６は、予め定められた基準時間が経過するごとに前記読取後原稿の未回収の報知方法を切り替える。
【００５４】
例えば、報知処理部５６は、表示部６２におけるメッセージの表示、警告ランプ６３の点灯又は点滅、スピーカー６４への音声データの出力、スピーカー６４における警告音の鳴動、及び予め設定された送信先への電子メールの送信のいずれか一つ又は複数の組み合わせによって、前記読取後原稿の未回収を報知可能である。
【００５５】
なお、報知処理部５６による前記読取後原稿の未回収の報知方法は、以上に述べたものに限られず、他の方法が含まれていてもよい。
【００５６】
例えば、報知処理部５６は、前記読取処理の終了時から一回目の前記基準時間の経過時までの間、前記読取後原稿が未回収である旨のメッセージを表示部６２に表示させて、前記読取後原稿の未回収を報知する。
【００５７】
また、報知処理部５６は、一回目の前記基準時間の経過時から二回目の前記基準時間の経過時までの間、前記読取後原稿が未回収である旨のメッセージを表示部６２に表示させると共に、警告ランプ６３を点灯又は点滅させて、前記読取後原稿の未回収を報知する。
【００５８】
また、報知処理部５６は、二回目の前記基準時間の経過時から三回目の前記基準時間の経過時までの間、前記読取後原稿が未回収である旨のメッセージを含む音声データをスピーカー６４に出力して、前記読取後原稿の未回収を報知する。なお、報知処理部５６は、前記基準時間が経過するごとに、前記音声データの音量を段階的に大きくしてもよい。
【００５９】
また、報知処理部５６は、三回目の前記基準時間が経過した場合は、前記送信先への前記読取後原稿が未回収である旨のメッセージを含む電子メールの送信により、前記読取後原稿の未回収を報知する。例えば、認証処理部５１は、前記ログイン処理を実行した場合に、認証されたユーザーの前記認証情報に対応する電子メールアドレスを前記送信先に設定する。
【００６０】
なお、報知処理部５６による報知方法の切替段数、及び各段における報知方法は、以上に述べたものとは異なるものであってよい。報知処理部５６による報知方法は、ユーザーが報知を不快に感じないように、切替段数の増加に応じて段階的に伝達性の高い方法に切り替えられることが望ましい。
【００６１】
設定処理部５７は、取得処理部５４によって取得される前記待ち時間に応じて、前記基準時間を設定する。
【００６２】
例えば、設定処理部５７は、取得処理部５４によって取得される前記待ち時間が予め定められた第１時間未満の場合は、前記基準時間を予め定められた第２時間に設定する。また、設定処理部５７は、取得処理部５４によって取得される前記待ち時間が前記第１時間以上の場合は、前記基準時間を前記待ち時間の長さに応じて特定される前記第２時間より長い第３時間に設定する。
【００６３】
なお、報知処理部５６は、取得処理部５４によって取得される前記待ち時間が前記第１時間又は前記第１時間より短い第４時間未満の場合は、報知方法の切替段数を低減させてもよい。例えば、報知処理部５６は、一回目の前記基準時間の経過時から、前記読取後原稿が未回収である旨のメッセージを含む音声データをスピーカー６４に出力して、前記読取後原稿の未回収を報知してもよい。
【００６４】
人検出部５８は、自装置の前に存在する人を検出する。
【００６５】
例えば、人検出部５８は、人感センサー９を用いて、前記人を検出する。なお、画像形成装置１０に、自装置の前方側を撮像可能な撮像部が設けられていてもよい。この場合、人検出部５８は、前記撮像部を用いて、自装置の前に存在する人を検出してもよい。
【００６６】
ここで、報知処理部５６は、人検出部５８によって前記人が検出されていない間、前記基準時間の経過の計時を中断する。
【００６７】
なお、報知処理部５６は、前記基準時間の経過の計時が中断されている時間が予め定められた許容時間を超える場合に、前記読取後原稿が未回収である旨のメッセージを含む電子メールを前記送信先に送信してもよい。
【００６８】
また、報知処理部５６は、人検出部５８による前記人の検出の有無に応じて、前記読取後原稿の未回収の報知方法を切り替えてもよい。例えば、報知処理部５６は、人検出部５８によって前記人が検出されなくなるまでの間、表示部６２におけるメッセージの表示によって前記読取後原稿の未回収を報知する。そして、報知処理部５６は、人検出部５８によって前記人が検出されなくなった場合に、スピーカー６４への音声データの出力、スピーカー６４における警告音の鳴動、又は前記送信先への電子メールの送信によって前記読取後原稿の未回収を報知する。
【００６９】
判定処理部５９は、報知処理部５６によって前記基準時間の経過の計時が中断された後に人検出部５８によって前記人が検出された場合に、検出された前記人が認証されたユーザーであるか否かを判定する。
【００７０】
例えば、判定処理部５９は、通信部７を用いて、画像形成装置１０とＢｌｕｅｔｏｏｔｈによる無線通信を実行可能な携帯端末２０を検出する。そして、判定処理部５９は、検出された携帯端末２０の前記ペアリングＩＤと認証されたユーザーの前記認証情報に対応する前記ペアリングＩＤとが一致する場合に、人検出部５８によって検出された前記人が認証されたユーザーであると判定する。
【００７１】
なお、画像形成装置１０に前記撮像部が設けられている場合、判定処理部５９は、前記撮像部によって撮像される前記人の顔画像に基づいて、人検出部５８によって検出された前記人が認証されたユーザーであるか否かを判定してもよい。例えば、判定処理部５９が、前記撮像部によって撮像される前記人の顔画像と、認証されたユーザーの前記認証情報に予め対応付けられた当該ユーザーの顔画像との同一性の有無に基づいて、前記人が認証されたユーザーであるか否かを判定することが考えられる。
【００７２】
ここで、報知処理部５６は、判定処理部５９によって前記人が認証されたユーザーであると判定された場合に、前記基準時間の経過の計時を再開する。
【００７３】
一方、報知処理部５６は、判定処理部５９によって前記人が認証されたユーザーではないと判定された場合に、前記読取後原稿が未回収である旨のメッセージを含む電子メールを前記送信先に送信する。なお、報知処理部５６は、判定処理部５９によって前記人が認証されたユーザーではないと判定された場合に、前記読取後原稿が未回収である旨のメッセージを含む電子メールを画像形成装置１０の管理者のメールアドレスなどに宛てて送信してもよい。
【００７４】
なお、制御部５は、認証処理部５１、及び判定処理部５９を含んでいなくてもよい。また、制御部５は、認証処理部５１、人検出部５８、及び判定処理部５９を含んでいなくてもよい。また、制御部５は、印刷処理部５３、取得処理部５４、及び設定処理部５７を含んでいなくてもよい。
【００７５】
［報知制御処理］
以下、図４を参照しつつ、画像形成装置１０において制御部５により実行される報知制御処理の手順の一例と共に、本発明における報知方法について説明する。ここで、ステップＳ１１、Ｓ１２・・・は、制御部５により実行される処理手順（ステップ）の番号を表している。なお、前記報知制御処理は、操作表示部６におけるユーザー操作によって、前記印刷処理の実行が指示された場合に実行される。なお、画像形成装置１０では、認証処理部５１によって認証されたユーザーのみ、操作表示部６を操作して前記印刷処理の実行指示を入力することが可能である。
【００７６】
＜ステップＳ１１＞
まず、ステップＳ１１において、制御部５は、前記読取処理の実行を開始する。ここで、ステップＳ１１の処理は、制御部５の読取処理部５２により実行される。
【００７７】
具体的に、制御部５は、ＡＤＦ１の原稿センサー１５によって原稿が検出された場合には、ＡＤＦ１及び画像読取部２を用いて、原稿載置部１１に載置された原稿から画像データを読み取る。また、制御部５は、ＡＤＦ１の原稿センサー１５によって原稿が検出されない場合には、画像読取部２を用いて、コンタクトガラス２１１に載置された原稿から画像データを読み取る。なお、制御部５は、前記読取処理の実行中に、前記読取後原稿の取り忘れについての注意を喚起する旨のメッセージを表示部６２に表示させてもよい。
【００７８】
＜ステップＳ１２＞
ステップＳ１２において、制御部５は、ステップＳ１１で開始された前記読取処理が終了したか否かを判断する。
【００７９】
例えば、制御部５は、原稿載置部１１に載置された原稿から画像データが読み取られる場合は、ＡＤＦ１による原稿の搬送後に原稿センサー１５によって次の読取対象の原稿の不存在が検出された場合に、前記読取処理が終了したと判断する。また、制御部５は、コンタクトガラス２１１に載置された原稿から画像データが読み取られる場合は、読取ユニット２２の前記副走査方向への移動が終了した場合に、前記読取処理が終了したと判断する。
【００８０】
ここで、制御部５は、前記読取処理が終了したと判断すると（Ｓ１２のＹｅｓ側）、処理をステップＳ１３に移行させる。また、前記読取処理が終了していなければ（Ｓ１２のＮｏ側）、制御部５は、ステップＳ１２で前記読取処理の終了を待ち受ける。
【００８１】
＜ステップＳ１３＞
ステップＳ１３において、制御部５は、前記印刷処理の実行を開始する。ここで、ステップＳ１３の処理は、制御部５の印刷処理部５３により実行される。
【００８２】
具体的に、制御部５は、画像形成部３及び給紙部４を用いて、前記読取処理によって読み取られた画像データに基づく画像を給紙部４から供給されるシートに形成する。
【００８３】
＜ステップＳ１４＞
ステップＳ１４において、制御部５は、前記読取処理の終了時から前記印刷処理の終了時までの待ち時間を取得する。ここで、ステップＳ１４の処理は、制御部５の取得処理部５４により実行される。
【００８４】
例えば、制御部５は、前記読取処理が終了したタイミングで、前記読取処理で読み取られた原稿の枚数、前記印刷処理で印刷される印刷物の部数、及び画像形成装置１０における印刷速度などに基づいて、前記印刷処理の開始時から終了時までの処理時間（前記待ち時間）を算出する。
【００８５】
＜ステップＳ１５＞
ステップＳ１５において、制御部５は、ステップＳ１４によって取得される前記待ち時間に応じて、前記基準時間を設定する。ここで、ステップＳ１５の処理は、制御部５の設定処理部５７により実行される。
【００８６】
例えば、制御部５は、ステップＳ１４によって取得される前記待ち時間が前記第１時間未満の場合は、前記基準時間を前記第２時間に設定する。また、制御部５は、ステップＳ１４によって取得される前記待ち時間が前記第１時間以上の場合は、前記基準時間を前記待ち時間の長さに応じて特定される前記第３時間に設定する。これにより、前記待ち時間が短い場合には、報知処理部５６による報知方法の切替間隔を早めることが可能である。
【００８７】
＜ステップＳ１６＞
ステップＳ１６において、制御部５は、前記読取後原稿の未回収を報知する。ここで、ステップＳ１６の処理は、制御部５の報知処理部５６により実行される。
【００８８】
例えば、制御部５は、前記読取後原稿が未回収である旨のメッセージを表示部６２に表示させて、前記読取後原稿の未回収を報知する。また、制御部５は、前記基準時間の経過の計時を開始する。
【００８９】
＜ステップＳ１７＞
ステップＳ１７において、制御部５は、前記基準時間が経過したか否かを判断する。
【００９０】
ここで、制御部５は、前記基準時間が経過したと判断すると（Ｓ１７のＹｅｓ側）、処理をステップＳ１８に移行させる。また、前記基準時間が経過していなければ（Ｓ１７のＮｏ側）、制御部５は、処理をステップＳ１９に移行させる。
【００９１】
＜ステップＳ１８＞
ステップＳ１８において、制御部５は、前記読取後原稿の未回収の報知方法を切り替える。また、制御部５は、前記基準時間の経過の計時をリセットする。ここで、ステップＳ１８の処理は、制御部５の報知処理部５６により実行される。
【００９２】
例えば、制御部５は、最初にステップＳ１８の処理が実行される場合に、前記読取後原稿の未回収の報知方法を、前記読取後原稿が未回収である旨のメッセージを表示部６２に表示させると共に、警告ランプ６３を点灯又は点滅させる方法に切り替える。
【００９３】
また、制御部５は、二回目にステップＳ１８の処理が実行される場合に、前記読取後原稿の未回収の報知方法を、前記読取後原稿が未回収である旨のメッセージを含む音声データをスピーカー６４に出力する方法に切り替える。
【００９４】
また、制御部５は、三回目にステップＳ１８の処理が実行される場合に、前記読取後原稿の未回収の報知方法を、前記読取後原稿が未回収である旨のメッセージを含む電子メールを前記送信先へ送信する方法に切り替える。なお、前記送信先は、認証処理部５１によって認証されたユーザーの前記認証情報に対応する電子メールアドレスである。
【００９５】
＜ステップＳ１９＞
ステップＳ１９において、制御部５は、自装置の前に存在する前記人が検出されたか否かを判断する。例えば、制御部５は、人感センサー９を用いて、前記人が検出されたか否かを判断する。ここで、ステップＳ１９の処理は、制御部５の人検出部５８により実行される。
【００９６】
ここで、制御部５は、前記人が検出されたと判断すると（Ｓ１９のＹｅｓ側）、処理をステップＳ２４に移行させる。また、前記人が検出されていなければ（Ｓ１９のＮｏ側）、制御部５は、処理をステップＳ２０に移行させる。
【００９７】
＜ステップＳ２０＞
ステップＳ２０において、制御部５は、前記基準時間の経過の計時を中断する。
【００９８】
＜ステップＳ２１＞
ステップＳ２１において、制御部５は、ステップＳ１９と同様に、前記人が検出されたか否かを判断する。
【００９９】
ここで、制御部５は、前記人が検出されたと判断すると（Ｓ２１のＹｅｓ側）、処理をステップＳ２２に移行させる。また、前記人が検出されていなければ（Ｓ２１のＮｏ側）、制御部５は、ステップＳ２１で前記人が検出されるのを待ち受ける。
【０１００】
＜ステップＳ２２＞
ステップＳ２２において、制御部５は、ステップＳ２１によって検出された前記人が認証されたユーザーであるか否かを判定する。ここで、ステップＳ２２の処理は、制御部５の判定処理部５９により実行される。
【０１０１】
例えば、制御部５は、通信部７を用いて、画像形成装置１０とＢｌｕｅｔｏｏｔｈによる無線通信を実行可能な携帯端末２０を検出する。そして、制御部５は、検出された携帯端末２０の前記ペアリングＩＤと認証されたユーザーの前記認証情報に対応する前記ペアリングＩＤとが一致する場合に、検出された前記人が認証されたユーザーであると判定する。
【０１０２】
ここで、制御部５は、ステップＳ２１によって検出された前記人が認証されたユーザーであると判断すると（Ｓ２２のＹｅｓ側）、処理をステップＳ２３に移行させる。また、ステップＳ２１によって検出された前記人が認証されたユーザーでなければ（Ｓ２２のＮｏ側）、制御部５は、処理をステップＳ２２１に移行させる。
【０１０３】
＜ステップＳ２２１＞
ステップＳ２２１において、制御部５は、前記読取後原稿が未回収である旨のメッセージを含む電子メールを前記送信先に送信する。これにより、他者によって前記読取後原稿が持ち去られてしまうおそれがある場合に、画像形成装置１０から離れた場所にいるユーザーに直ちに前記読取後原稿の未回収を伝達することが可能である。
【０１０４】
＜ステップＳ２３＞
ステップＳ２３において、制御部５は、前記基準時間の経過の計時を再開する。これにより、ユーザーが画像形成装置１０の近傍にいない間に報知方法の切替段数が増加することが回避される。そのため、ユーザーが画像形成装置１０の近傍に戻ってきた際に、報知を不快に感じることを回避可能である。
【０１０５】
＜ステップＳ２４＞
ステップＳ２４において、制御部５は、自装置からの前記読取後原稿の回収が検出されたか否かを判断する。ここで、ステップＳ２４の処理は、制御部５の検出処理部５５により実行される。
【０１０６】
例えば、制御部５は、前記読取処理において原稿載置部１１に載置された原稿から画像データが読み取られた場合は、原稿センサー１６を用いて前記読取後原稿の回収を検出する。また、制御部５は、前記読取処理においてコンタクトガラス２１１に載置された原稿から画像データが読み取られた場合は、原稿センサー２７を用いて前記読取後原稿の回収を検出する。
【０１０７】
ここで、制御部５は、自装置からの前記読取後原稿の回収が検出されたと判断すると（Ｓ２４のＹｅｓ側）、前記報知制御処理を終了させる。また、自装置からの前記読取後原稿の回収が検出されていなければ（Ｓ２４のＮｏ側）、制御部５は、処理をステップＳ１７に移行させる。
【０１０８】
なお、前記報知制御処理において、ステップＳ１４及びステップＳ１５の処理は省略されてもよい。また、前記報知制御処理において、ステップＳ１９〜ステップＳ２３、及びステップＳ２２１の処理は省略されてもよい。また、前記報知制御処理において、ステップＳ２２、ステップＳ２３、及びステップＳ２２１の処理は省略されてもよい。また、ステップＳ１３では、ステップＳ１１で読み取られた画像データを予め設定された送信先に送信する処理又は記憶部８に記憶させる処理が実行されてもよい。また、ステップＳ２２１では、他のユーザーの前記読取後原稿が残存している旨のメッセージを表示部６２に表示させる処理が実行されてもよい。
【０１０９】
このように、画像形成装置１０では、前記読取処理の終了時から前記読取後原稿の回収が検出されるまでの間、前記基準時間が経過するごとに前記読取後原稿の未回収の報知方法が切り替えられる。これにより、前記読取後原稿の未回収の報知方法が一つである構成と比較して、ユーザーが前記読取後原稿の未回収を認識する可能性が高まる。従って、ユーザーによる前記読取後原稿の取り忘れを抑制することが可能である。
【符号の説明】
【０１１０】
１    ＡＤＦ
２    画像読取部
３    画像形成部
４    給紙部
５    制御部
６    操作表示部
７    通信部
８    記憶部
９    人感センサー
１０  画像形成装置
２０  携帯端末
５１  認証処理部
５２  読取処理部
５３  印刷処理部
５４  取得処理部
５５  検出処理部
５６  報知処理部
５７  設定処理部
５８  人検出部
５９  判定処理部
【図１】
2019102875.tif 000003
【図２】
2019102875.tif 000004
【図３】
2019102875.tif 000005
【図４】
2019102875.tif 000006